【手続補正書】
【提出日】平成20年7月29日(2008.7.29)
【手続補正１】
【補正対象書類名】特許請求の範囲
【補正対象項目名】全文
【補正方法】変更
【補正の内容】
【特許請求の範囲】
【請求項１】
通信相手に送信すべきデータで搬送波を変調して出力し、前記通信相手と近接通信をする通信装置において、
前記通信相手に前記データを送信するときの前記搬送波の出力レベルの複数の設定値を記憶する記憶手段と、
前記出力レベルの複数の設定値のうちの１つの出力レベルの設定値に従って、前記搬送波の出力レベルを制御する制御手段と
を備え、
前記制御手段は、前記通信相手からの応答がなかった場合、前記出力レベルの複数の設定値のうちの他の１つの出力レベルの設定値に従って、前記搬送波の出力レベルをさらに制御し、
前記記憶手段は、前記通信相手からの応答があった場合、前記通信相手と、応答があったときの前記搬送波の出力レベルの設定値とが対応付けられた対応情報をさらに記録し、
前記制御手段は、前記対応情報を参照し、ユーザの操作によって指定される前記通信相手に対応付けられている前記搬送波の出力レベルの設定値に従って、前記搬送波の出力レベルを制御する
通信装置。
【請求項２】
前記記憶手段は、前記搬送波を前記データで変調した変調波の変調率の複数の設定値も記憶しており、
前記制御手段は、前記変調率の複数の設定値のうちの１つの変調率の設定値に従って、前記変調波の変調率も制御し、前記通信相手からの応答がなかった場合、前記変調率の複数の設定値のうちの他の１つの変調率の設定値に従って、前記変調波の変調率をさらに制御する
請求項１に記載の通信装置。
【請求項３】
前記記憶手段は、前記通信相手からの応答があった場合、前記通信相手と、応答があったときの前記変調率の設定値とが対応付けられた対応情報をさらに記録し、
前記制御手段は、前記対応情報を参照し、ユーザの操作によって指定される前記通信相手に対応付けられている前記変調率の設定値に従って、前記変調波の変調率をさらに制御する
請求項２に記載の通信装置。
【請求項４】
通信相手に送信すべきデータで搬送波を変調して出力し、前記通信相手と近接通信をする通信方法において、
前記通信相手に前記データを送信するときの前記搬送波の出力レベルの複数の設定値のうちの１つの出力レベルの設定値に従って、前記搬送波の出力レベルを制御し、
前記通信相手からの応答がなかった場合、前記制御ステップにおいて、前記出力レベルの複数の設定値のうちの他の１つの出力レベルの設定値に従って、前記搬送波の出力レベルをさらに制御し、
前記通信相手からの応答があった場合、前記通信相手と、応答があったときの前記搬送波の出力レベルの設定値とが対応付けられた対応情報を記録させ、
前記対応情報を参照し、ユーザの操作によって指定される前記通信相手に対応付けられている前記搬送波の出力レベルの設定値に従って、前記搬送波の出力レベルを制御する
ステップを含む通信方法。
【請求項５】
通信相手に送信すべきデータで搬送波を変調して出力し、前記通信相手と近接通信をする通信装置を制御するコンピュータに実行させるプログラムにおいて、
前記通信相手に前記データを送信するときの前記搬送波の出力レベルの複数の設定値のうちの１つの出力レベルの設定値に従って、前記搬送波の出力レベルを制御し、
前記通信相手からの応答がなかった場合、前記制御ステップにおいて、前記出力レベルの複数の設定値のうちの他の１つの出力レベルの設定値に従って、前記搬送波の出力レベルをさらに制御し、
前記通信相手からの応答があった場合、前記通信相手と、応答があったときの前記搬送波の出力レベルの設定値とが対応付けられた対応情報を記録させ、
前記対応情報を参照し、ユーザの操作によって指定される前記通信相手に対応付けられている前記搬送波の出力レベルの設定値に従って、前記搬送波の出力レベルを制御する
ステップを含む処理をコンピュータに実行させるプログラム。
【請求項６】
通信相手に送信すべきデータで搬送波を変調して出力し、前記通信相手と近接通信をする通信装置において、
前記搬送波を前記データで変調した変調波の変調率の複数の設定値を記憶する記憶手段と、
前記変調率の複数の設定値のうちの１つの変調率の設定値に従って、前記変調波の変調率を制御する制御手段と
を備え、
前記制御手段は、前記通信相手からの応答がなかった場合、前記変調率の複数の設定値のうちの他の１つの変調率の設定値に従って、前記変調波の変調率をさらに制御し、
前記記憶手段は、前記通信相手からの応答があった場合、前記通信相手と、応答があったときの前記変調率の設定値とが対応付けられた対応情報をさらに記録し、
前記制御手段は、前記対応情報を参照し、ユーザの操作によって指定される前記通信相手に対応付けられている前記変調率の設定値に従って、前記変調波の変調率を制御する
通信装置。
【請求項７】
通信相手に送信すべきデータで搬送波を変調して出力し、前記通信相手と近接通信をする通信方法において、
前記搬送波を前記データで変調した変調波の変調率の複数の設定値のうちの１つの変調率の設定値に従って、前記搬変調波の変調率を制御し、
前記通信相手からの応答がなかった場合、前記制御ステップにおいて、前記変調率の複数の設定値のうちの他の１つの変調率の設定値に従って、前記変調波の変調率をさらに制御し、
前記通信相手からの応答があった場合、前記通信相手と、応答があったときの前記変調率の設定値とが対応付けられた対応情報を記録させ、
前記制御手段は、前記対応情報を参照し、ユーザの操作によって指定される前記通信相手に対応付けられている前記変調率の設定値に従って、前記変調波の変調率を制御する
ステップを含む通信方法。
【請求項８】
通信相手に送信すべきデータで搬送波を変調して出力し、前記通信相手と近接通信をする通信装置を制御するコンピュータに実行させるプログラムにおいて、
前記搬送波を前記データで変調した変調波の変調率の複数の設定値のうちの１つの変調率の設定値に従って、前記搬変調波の変調率を制御し、
前記通信相手からの応答がなかった場合、前記制御ステップにおいて、前記変調率の複数の設定値のうちの他の１つの変調率の設定値に従って、前記変調波の変調率をさらに制御し、
前記通信相手からの応答があった場合、前記通信相手と、応答があったときの前記変調率の設定値とが対応付けられた対応情報を記録させ、
前記制御手段は、前記対応情報を参照し、ユーザの操作によって指定される前記通信相手に対応付けられている前記変調率の設定値に従って、前記変調波の変調率を制御する
ステップを含む処理をコンピュータに実行させるプログラム。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】変更
【補正の内容】
【００１６】
本発明の第１の側面は、通信相手に送信すべきデータで搬送波を変調して出力し、前記通信相手と近接通信をする通信装置において、前記通信相手に前記データを送信するときの前記搬送波の出力レベルの複数の設定値を記憶する記憶手段と、前記出力レベルの複数の設定値のうちの１つの出力レベルの設定値に従って、前記搬送波の出力レベルを制御する制御手段とを備え、前記制御手段は、前記通信相手からの応答がなかった場合、前記出力レベルの複数の設定値のうちの他の１つの出力レベルの設定値に従って、前記搬送波の出力レベルをさらに制御し、前記記憶手段は、前記通信相手からの応答があった場合、前記通信相手と、応答があったときの前記搬送波の出力レベルの設定値とが対応付けられた対応情報をさらに記録し、前記制御手段は、前記対応情報を参照し、ユーザの操作によって指定される前記通信相手に対応付けられている前記搬送波の出力レベルの設定値に従って、前記搬送波の出力レベルを制御する通信装置である。
【手続補正７】
【補正対象書類名】明細書
【補正対象項目名】００１７
【補正方法】変更
【補正の内容】
【００１７】
また、本発明の第１の側面は、通信相手に送信すべきデータで搬送波を変調して出力し、前記通信相手と近接通信をする通信方法、または通信装置を制御するコンピュータに実行させるプログラムにおいて、前記通信相手に前記データを送信するときの前記搬送波の出力レベルの複数の設定値のうちの１つの出力レベルの設定値に従って、前記搬送波の出力レベルを制御し、前記通信相手からの応答がなかった場合、前記制御ステップにおいて、前記出力レベルの複数の設定値のうちの他の１つの出力レベルの設定値に従って、前記搬送波の出力レベルをさらに制御し、前記通信相手からの応答があった場合、前記通信相手と、応答があったときの前記搬送波の出力レベルの設定値とが対応付けられた対応情報を記録させ、前記対応情報を参照し、ユーザの操作によって指定される前記通信相手に対応付けられている前記搬送波の出力レベルの設定値に従って、前記搬送波の出力レベルを制御するステップを含む通信方法またはプログラムである。
【手続補正８】
【補正対象書類名】明細書
【補正対象項目名】００１８
【補正方法】変更
【補正の内容】
【００１８】
本発明の第２の側面は、通信相手に送信すべきデータで搬送波を変調して出力し、前記通信相手と近接通信をする通信装置において、前記搬送波を前記データで変調した変調波の変調率の複数の設定値を記憶する記憶手段と、前記変調率の複数の設定値のうちの１つの変調率の設定値に従って、前記変調波の変調率を制御する制御手段とを備え、前記制御手段は、前記通信相手からの応答がなかった場合、前記変調率の複数の設定値のうちの他の１つの変調率の設定値に従って、前記変調波の変調率をさらに制御し、前記記憶手段は、前記通信相手からの応答があった場合、前記通信相手と、応答があったときの前記変調率の設定値とが対応付けられた対応情報をさらに記録し、前記制御手段は、前記対応情報を参照し、ユーザの操作によって指定される前記通信相手に対応付けられている前記変調率の設定値に従って、前記変調波の変調率を制御する通信装置である。
【手続補正９】
【補正対象書類名】明細書
【補正対象項目名】００１９
【補正方法】変更
【補正の内容】
【００１９】
また、本発明の第２の側面は、通信相手に送信すべきデータで搬送波を変調して出力し、前記通信相手と近接通信をする通信方法、または通信装置を制御するコンピュータに実行させるプログラムにおいて、前記搬送波を前記データで変調した変調波の変調率の複数の設定値のうちの１つの変調率の設定値に従って、前記搬変調波の変調率を制御し、前記通信相手からの応答がなかった場合、前記制御ステップにおいて、前記変調率の複数の設定値のうちの他の１つの変調率の設定値に従って、前記変調波の変調率をさらに制御し、前記通信相手からの応答があった場合、前記通信相手と、応答があったときの前記変調率の設定値とが対応付けられた対応情報を記録させ、前記制御手段は、前記対応情報を参照し、ユーザの操作によって指定される前記通信相手に対応付けられている前記変調率の設定値に従って、前記変調波の変調率を制御するステップを含む通信方法またはプログラムである。
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】変更
【補正の内容】
【００２２】
本発明の第１の側面においては、通信相手にデータを送信するときの搬送波の出力レベルの複数の設定値のうちの１つの出力レベルの設定値に従って、搬送波の出力レベルが制御される。そして、通信相手からの応答がなかった場合、出力レベルの複数の設定値のうちの１つの出力レベルの設定値に従って、搬送波の出力レベルがさらに制御される。さらに、通信相手からの応答があった場合、通信相手と、応答があったときの搬送波の出力レベルの設定値とが対応付けられた対応情報が記録され、対応情報を参照し、ユーザの操作によって指定される通信相手に対応付けられている搬送波の出力レベルの設定値に従って、搬送波の出力レベルが制御される。
【手続補正１３】
【補正対象書類名】明細書
【補正対象項目名】００２３
【補正方法】変更
【補正の内容】
【００２３】
本発明の第２の側面においては、搬送波をデータで変調した変調波の変調率の複数の設定値のうちの１つの変調率の設定値に従って、変調波の変調率が制御される。そして、通信相手からの応答がなかった場合、変調率の複数の設定値のうちの他の１つの変調率の設定値に従って、変調波の変調率がさらに制御される。さらに、通信相手からの応答があった場合、通信相手と、応答があったときの搬送波の出力レベルの設定値とが対応付けられた対応情報が記録され、対応情報を参照し、ユーザの操作によって指定される通信相手に対応付けられている搬送波の出力レベルの設定値に従って、搬送波の出力レベルが制御される。
【手続補正１４】
【補正対象書類名】明細書
【補正対象項目名】００２４
【補正方法】変更
【補正の内容】
【００２４】
本発明の第１および第２の側面によれば、様々な通信特性の通信相手と良好な近接通信をすることができる。
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】変更
【補正の内容】
【００３０】
本発明の第１の側面の通信装置は、
通信相手に送信すべきデータで搬送波を変調して出力し、前記通信相手と近接通信をする通信装置（例えば、図１の携帯電話機１０）において、
前記通信相手に前記データを送信するときの前記搬送波の出力レベルの複数の設定値を記憶する記憶手段（例えば、図１のメモリ１２）と、
前記出力レベルの複数の設定値のうちの１つの出力レベルの設定値に従って、前記搬送波の出力レベルを制御する制御手段（例えば、図１の携帯電話機用CPU１３）と
を備え、
前記制御手段は、前記通信相手からの応答がなかった場合、前記出力レベルの複数の設定値のうちの他の１つの出力レベルの設定値に従って、前記搬送波の出力レベルをさらに制御し、
前記記憶手段は、前記通信相手からの応答があった場合、前記通信相手と、応答があったときの前記搬送波の出力レベルの設定値とが対応付けられた対応情報をさらに記録し、
前記制御手段は、前記対応情報を参照し、ユーザの操作によって指定される前記通信相手に対応付けられている前記搬送波の出力レベルの設定値に従って、前記搬送波の出力レベルを制御する。
【手続補正２０】
【補正対象書類名】明細書
【補正対象項目名】００３１
【補正方法】変更
【補正の内容】
【００３１】
本発明の第１の側面の通信方法、またはプログラムは、
通信相手に送信すべきデータで搬送波を変調して出力し、前記通信相手と近接通信をする通信方法、または通信装置を制御するコンピュータに実行させるプログラムにおいて、
前記通信相手に前記データを送信するときの前記搬送波の出力レベルの複数の設定値のうちの１つの出力レベルの設定値に従って、前記搬送波の出力レベルを制御し、（例えば、図４のステップＳ２４）
前記通信相手からの応答がなかった場合、前記制御ステップにおいて、前記出力レベルの複数の設定値のうちの他の１つの出力レベルの設定値に従って、前記搬送波の出力レベルをさらに制御し、
前記通信相手からの応答があった場合、前記通信相手と、応答があったときの前記搬送波の出力レベルの設定値とが対応付けられた対応情報を記録させ、
前記対応情報を参照し、ユーザの操作によって指定される前記通信相手に対応付けられている前記搬送波の出力レベルの設定値に従って、前記搬送波の出力レベルを制御する
ステップを含む。
【手続補正２１】
【補正対象書類名】明細書
【補正対象項目名】００３２
【補正方法】変更
【補正の内容】
【００３２】
本発明の第２の側面の通信装置は、
通信相手に送信すべきデータで搬送波を変調して出力し、前記通信相手と近接通信をする通信装置（例えば、図１の携帯電話機１０）において、
前記搬送波を前記データで変調した変調波の変調率の複数の設定値を記憶する記憶手段（例えば、図１のメモリ１２）と、
前記変調率の複数の設定値のうちの１つの変調率の設定値に従って、前記変調波の変調率を制御する制御手段（例えば、図１の携帯電話機用CPU１３）と
を備え、
前記制御手段は、前記通信相手からの応答がなかった場合、前記変調率の複数の設定値のうちの他の１つの変調率の設定値に従って、前記変調波の変調率をさらに制御し、
前記記憶手段は、前記通信相手からの応答があった場合、前記通信相手と、応答があったときの前記変調率の設定値とが対応付けられた対応情報をさらに記録し、
前記制御手段は、前記対応情報を参照し、ユーザの操作によって指定される前記通信相手に対応付けられている前記変調率の設定値に従って、前記変調波の変調率を制御する。
【手続補正２２】
【補正対象書類名】明細書
【補正対象項目名】００３３
【補正方法】変更
【補正の内容】
【００３３】
本発明の第２の側面の通信方法、またはプログラムは、
通信相手に送信すべきデータで搬送波を変調して出力し、前記通信相手と近接通信をする通信方法、または通信装置を制御するコンピュータに実行させるプログラムにおいて、
前記搬送波を前記データで変調した変調波の変調率の複数の設定値のうちの１つの変調率の設定値に従って、前記搬変調波の変調率を制御し、（例えば、図４のステップＳ２４）
前記通信相手からの応答がなかった場合、前記制御ステップにおいて、前記変調率の複数の設定値のうちの他の１つの変調率の設定値に従って、前記変調波の変調率をさらに制御し、
前記通信相手からの応答があった場合、前記通信相手と、応答があったときの前記変調率の設定値とが対応付けられた対応情報を記録させ、
前記制御手段は、前記対応情報を参照し、ユーザの操作によって指定される前記通信相手に対応付けられている前記変調率の設定値に従って、前記変調波の変調率を制御する
ステップを含む。